(57)【要約】【課題】従来よりも使い勝手がよい電子書籍提供サービスを実現するための電子書籍取り扱いサーバ、情報処理方法、およびネットワークシステムを提供することにある。【解決手段】複数の電子書籍のデータを記憶するためのメモリ１２０と、複数の電子書籍のうちの１または複数の電子書籍のそれぞれから所定の条件を満たす部分を抽出して組み合わせることによって合成電子書籍を作成するプロセッサ１１０とを備える、電子書籍取り扱いサーバ１００が提供される。【選択図】図１
2020129172.tif 000002
【特許請求の範囲】
【請求項１】
複数の電子書籍のデータを記憶するためのメモリと、
前記複数の電子書籍のうちの１または複数の電子書籍のそれぞれから所定の条件を満たす部分を抽出して組み合わせることによって合成電子書籍を作成するプロセッサとを備える、電子書籍取り扱いサーバ。
【請求項２】
前記メモリは、複数のユーザ毎の属性情報を記憶し、
前記プロセッサは、前記所定の条件として、前記合成電子書籍を提供するユーザ毎の属性情報に適した部分を抽出する、請求項１に記載の電子書籍取り扱いサーバ。
【請求項３】
前記ユーザ毎に関する属性情報は、前記ユーザ毎の熟練度の程度に関する情報を含む、請求項２に記載の電子書籍取り扱いサーバ。
【請求項４】
前記メモリは、前記複数の電子書籍の部分毎の分野情報を記憶し、
前記プロセッサは、前記所定の条件として、所定の分野に属する部分を抽出する、請求項１から３のいずれか１項に記載の電子書籍取り扱いサーバ。
【請求項５】
複数のユーザの複数の端末と通信するための通信インターフェイスをさらに備え、
前記プロセッサは、前記通信インターフェイスを介して、前記ユーザの端末に前記合成電子書籍をダウンロードする、請求項１から４のいずれか１項に記載の電子書籍取り扱いサーバ。
【請求項６】
プロセッサが、メモリに記憶されている複数の電子書籍のうちの１または複数の電子書籍のそれぞれから所定の条件を満たす部分を抽出するステップと、
前記プロセッサが、抽出した部分を組み合わせることによって合成電子書籍を作成するステップと、を備える情報処理方法。
【請求項７】
複数のユーザの複数の端末と、
複数の電子書籍のうちの１または複数の電子書籍のそれぞれから所定の条件を満たす部分を抽出して組み合わせることによって合成電子書籍を作成し、前記合成電子書籍を前記複数の端末に提供するためのサーバとを備える、ネットワークシステム。
【発明の詳細な説明】
【技術分野】
【０００１】
本発明は、電子書籍を提供するサービスの技術に関する。
【背景技術】
【０００２】
従来から、電子書籍に関する技術が知られている。たとえば、特開２０１３−１７８６１１号公報（特許文献１）には、電子端末および書籍閲覧プログラムが開示されている。特許文献１によると、ディスプレイと、書籍データを記憶するメモリと、書籍データに基づき書籍の少なくともいずれかのページをディスプレイに表示させるためのプロセッサとを備える電子端末が提供される。プロセッサは、書籍の少なくともいずれかのページに対する第１の命令を受け付け、第１の命令を書籍の少なくともいずれかのページに対応付けてメモリに記憶し、一覧命令を受け付けた際に、第１の命令に対応付けてメモリに記憶されている書籍の少なくともいずれかのページのサムネイル画像をディスプレイに表示させる。
【０００３】
また、特開２０１３−１７８６１２号公報（特許文献２）には、電子端末および書籍閲覧プログラムが開示されている。特許文献２によると、電子端末は、ディスプレイと、複数の書籍を示すための書籍データを記憶するメモリと、テキストの入力を受け付け、テキストに基づいて複数の書籍を検索するためのプロセッサと、を備える。好ましくは、プロセッサは、テキストに基づいて複数の書籍の目次を検索し、テキストに基づいて複数の書籍の本文を検索することによって、複数の書籍を検索する。
【先行技術文献】
【特許文献】
【０００４】
【特許文献１】特開２０１３−１７８６１１号公報
【特許文献２】特開２０１３−１７８６１２号公報
【発明の概要】
【発明が解決しようとする課題】
【０００５】
本発明の目的は、従来よりも使い勝手がよい電子書籍提供サービスを実現するための電子書籍取り扱いサーバ、情報処理方法、およびネットワークシステムを提供することにある。
【課題を解決するための手段】
【０００６】
この発明のある態様に従うと、複数の電子書籍のデータを記憶するためのメモリと、複数の電子書籍のうちの１または複数の電子書籍のそれぞれから所定の条件を満たす部分を抽出して組み合わせることによって合成電子書籍を作成するプロセッサとを備える、電子書籍取り扱いサーバが提供される。
【発明の効果】
【０００７】
以上のように、この発明によれば、従来よりも使い勝手がよい電子書籍提供サービスを実現するための電子書籍取り扱いサーバ、情報処理方法、およびネットワークシステムが提供される。
【図面の簡単な説明】
【０００８】
【図１】第１の実施の形態にかかるネットワークシステム１の動作概要を示す第１のイメージ図である。
【図２】第１の実施の形態にかかるネットワークシステム１の動作概要を示す第２のイメージ図である。
【図３】第１の実施の形態にかかるネットワークシステム１の全体構成を示すイメージ図である。
【図４】第１の実施の形態にかかる電子書籍取り扱いサーバ１００の構成を表わすブロック図である。
【図５】第１の実施の形態にかかる学習データベースのマップデータ１２１を示すイメージ図である。
【図６】第１の実施の形態にかかるコンテンツデータ１２２を示すイメージ図である。
【図７】第１の実施の形態にかかる属性データ１２３を示すイメージ図である。
【図８】第１の実施の形態にかかる電子書籍取り扱いサーバ１００における情報処理を示すフローチャートである。
【図９】第１の実施の形態にかかる通信端末３００の構成を表わすブロック図である。
【図１０】第２の実施の形態にかかるコンテンツデータ１２２Ｂを示すイメージ図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの動作概要＞
【００１０】
まず、本実施の形態にかかるネットワークシステムの動作概要、つまりに本実施の形態にかかるネットワークシステムよって実現される電子書籍提供サービスについて説明する。
【００１１】
図１を参照して、本実施の形態にかかる電子書籍提供サービスは、当該サービスに登録されている複数のユーザ毎に、複数種類の専門誌の雑誌・本・動画などのコンテンツの中から、当該ユーザにふさわしい記事やシーンなどのコンテンツの部分または全部を特定し、当該コンテンツの部分または全部を抽出してそれらを組み合わせることによって新たな合成電子コンテンツを生成するものである。
【００１２】
特に、本実施の形態においては、ユーザ毎に相応しいコンテンツが組み合わされたデータが提供される。たとえば、ユーザ毎の専門分野や、ユーザ毎の仕事の担当分野や、ユーザ毎に興味を持っている分野や、ユーザの熟練度や、ユーザの学習環境などに適したコンテンツが抽出される。
【００１３】
本実施の形態においては、図２に示すように、分野・難易度・コンテンツなどの対応関係を示す学習データベースが利用される。当該学習データベースは、新たな雑誌・本・動画などがデータベースに新たに登録されるたびに、あるいはユーザによるフィードバックを取得するたびに、分野・難易度・コンテンツなどの対応関係を修正したり向上させたりしていくことが好ましい。これによって、本サービスにおいては、ユーザ毎の分野や熟練度に応じた学習データベースのマップ上の座標を特定し、当該座標に対応するコンテンツを抽出することによってユーザに適した電子書籍データを生成する。たとえば、医療に関する複数の種類の専門誌からコンテンツを抽出する場合、ユーザとしてのナースの担当分野やユーザとしてのナースのキャリアに応じたコンテンツが抽出される。
【００１４】
なお以下では、ユーザがナースである場合について説明を行うが、ユーザはナースに限らず、他の医療従事者であってもよいし、医療従事者以外の他の仕事に携わる者であってもよい。さらに、本実施の形態にかかるサービスは、ユーザが仕事以外の趣味に合致したコンテンツが抽出された合成コンテンツを欲した場合にも適用可能であって、対象となるコンテンツの種類を限定するものではない。
【００１５】
このように、本実施の形態においては、複数の電子書籍から、サービス対象となるユーザに適した分野およびレベルのコンテンツが抽出されて、当該コンテンツをまとめた電子書籍が生成される。これによって、ユーザは、自分に関係のないコンテンツや自分のレベルに相応しくないコンテンツが含まれる可能性が低い電子書籍データを手に入れることができる。以下、このような機能を実現するためのネットワークシステム１の具体的な構成について詳述する。
＜ネットワークシステム１の全体構成＞
【００１６】
次に、図３を参照して本実施の形態にかかるネットワークシステム１の全体構成について説明する。本実施の形態にかかるネットワークシステム１は、主に、電子書籍取り扱いサーバ１００と、スマートフォン３００Ａやパーソナルコンピュータ３００Ｂなどの各種の通信端末（総称して通信端末３００ともいう。）とを含む。本実施の形態においては、通信端末３００は、Ｗｉ−Ｆｉ（登録商標）、Ｂｌｕｅｔｏｏｔｈ（登録商標）、ＺｉｇＢｅｅ（登録商標）、キャリア網、インターネットなどを介して電子書籍取り扱いサーバ１００と接続可能に構成されている。
【００１７】
まず、サーバ１００には、複数種類の雑誌や本や動画などの電子データが蓄積されている。なお、サーバ１００が、当該電子データを全て記憶しておく必要はなく、サーバ１００がアクセス可能なデータベースに当該電子データが格納されていればよい。
【００１８】
そして、本実施の形態にかかるネットワークシステム１においては、ユーザが、通信端末３００を介して、ユーザ属性など、ユーザに関する各種の情報をサービスに登録する。たとえば、ユーザは、サービスへの登録時などに、自身の担当分野や興味がある分野や自身のキャリアなどを登録する（ステップＳ００２）。
【００１９】
サーバ１００は、定期的に、たとえば、毎月や３か月毎などに、ユーザ毎に、ユーザの属性情報に基づいて、ユーザに適した分野に属するものであって、ユーザの熟練度や学習環境などに相応しいコンテンツを抽出する（ステップＳ００４）。
【００２０】
サーバ１００は、抽出したコンテンツを組み合わせて、Ｗｅｂで閲覧可能な形式の書籍データを生成する（ステップＳ００６）。
【００２１】
ユーザは、通信端末３００を介して、ユーザＩＤなどに基づいてサービスにログインすることによって、自身に適した分野の、自身のレベルや学習環境に相応しいコンテンツが組み合わされた合成コンテンツを表示するためのＷｅｂページをダウンロードして、当該合成コンテンツを閲覧することができる。
＜電子書籍取り扱いサーバ１００の構成＞
【００２２】
次に、本実施の形態にかかるネットワークシステム１を構成する電子書籍取り扱いサーバ１００の構成の一態様について説明する。図４を参照して、サーバ１００は、主たる構成要素として、ＣＰＵ１１０と、メモリ１２０と、操作部１４０と、通信インターフェイス１６０とを含む。
【００２３】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００２４】
メモリ１２０は、各種のＲＡＭ、各種のＲＯＭなどによって実現される。メモリ１２０は、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、複数の電子コンテンツのデータ、通信端末３００から取得したユーザに関する各種の情報、その他の本実施の形態にかかる電子書籍関連サービスに利用されるデータなどを記憶する。
【００２５】
たとえば、メモリ１２０は、図５に示すように、学習データベースのマップデータ１２１を記憶する。学習データベースのマップデータ１２１は、学習分野と熟練度とコンテンツとの対応関係を格納する。たとえば、分野を特定するための大項目や小項目およびユーザの熟練度に対応する、記事や動画などを特定するための識別情報が格納される。識別情報は、学習分野と熟練度とコンテンツとの対応関係を示す学習データベースのマップ上の座標データであってもよい。
【００２６】
また、メモリ１２０は、図６に示すように、コンテンツデータ１２２を記憶する。コンテンツデータ１２２は、コンテンツに含まれる部分や記事毎に、記事の特集名や連載名と、コンテンツの名称と、コンテンツのファイル名と、コンテンツの学習データベースのマップにおける配置座標データや、コンテンツを読み終えるまでの時間や緊急度やコンテンツが役に立つ可能性が高いユーザのレベルなどを格納する。
【００２７】
また、メモリ１２０は、図７に示すように、ユーザの属性データ１２３を記憶する。メモリ１２０は、ユーザの属性データ１２３として、ユーザ毎に、ユーザが通信端末３００を介してサービスに登録する情報であって、登録されるユーザの担当領域や、科目や、経験年数や、熟練度や、学習サイクルや、学習にかけたい時間や学習スタイルなどを特定するための情報を記憶する。たとえば、ＣＰＵ１１０は、学習サイクルや、学習にかけたい時間に応じて、ユーザに提供する電子書籍に含まれる複数のコンテンツの読了時間の合計を調整したり、学習スタイルに応じて雑誌・本・動画・音声などのデータ種別を変更したりすることが好ましい。
【００２８】
図４に戻って、操作部１４０は、サービスの管理者などの命令を受け付けて、当該命令をＣＰＵ１１０に入力する。
【００２９】
通信インターフェイス１６０は、ＣＰＵ１１０からのデータを、インターネット、キャリア網、ルータなどを介して、通信端末３００などの他の装置に送信する。逆に、通信インターフェイス１６０は、インターネット、キャリア網、ルータなどを介して通信端末３００などの他の装置からのデータを受信して、ＣＰＵ１１０に受け渡す。
＜電子書籍取り扱いサーバ１００における情報処理＞
【００３０】
次に、図８を参照して、電子書籍取り扱いサーバ１００における情報処理について説明する。サーバ１００のＣＰＵ１１０は、定期的に、たとえば１か月毎や半年毎などに、登録されているユーザ毎に以下の処理を繰り返す。
【００３１】
ＣＰＵ１１０は、ユーザの属性データ１２３を参照して、ユーザ情報を読み出す（ステップＳ１０２）。
【００３２】
ＣＰＵ１１０は、学習データベースのマップデータ１２１を参照して、ユーザに適したコンテンツの座標データを特定する（ステップＳ１０４）。
【００３３】
ＣＰＵ１１０は、コンテンツデータ１２２を参照して、座標データに基づいてコンテンツ自体を読み出す（ステップＳ１０６）。
【００３４】
ＣＰＵ１１０は、読み出した複数のコンテンツを組み合わせて、合成電子書籍を作成する（ステップＳ１０８）。
＜通信端末３００の構成＞
【００３５】
次に、図９を参照して、ネットワークシステム１を構成する通信端末３００の構成の一態様について説明する。本実施の形態にかかる通信端末３００は、主たる構成要素として、ＣＰＵ３１０と、メモリ３２０と、ディスプレイ３３０と、操作部３４０と、通信インターフェイス３６０と、スピーカ３７０と、マイク３８０とを含む。
【００３６】
ＣＰＵ３１０は、メモリ３２０に記憶されているプログラムを実行することによって、通信端末３００の各部を制御する。
【００３７】
メモリ３２０は、各種のＲＡＭや、各種のＲＯＭなどによって実現される。メモリ３２０は、各種サービスのためのアプリケーションプログラムや、ＣＰＵ３１０によるプログラムの実行により生成されたデータ、サーバ１００から受信したデータ、操作部３４０を介して入力されたデータ、そのた本実施の形態にかかるサービスに利用されるデータなどを記憶する。
【００３８】
ディスプレイ３３０は、ＣＰＵ３１０からのデータに基づいて、画像やテキストを表示する。操作部３４０は、ポインティングデバイスやスイッチなどから構成され、ユーザからの各種の命令をＣＰＵ３１０に入力する。なお、通信端末３００は、ディスプレイ３３０と操作部３４０とを含むタッチパネル３５０を有してもよい。
【００３９】
通信インターフェイス３６０は、インターネットやキャリア網などを介して、サーバ１００などの他の装置との間でデータを送受信する。たとえば、ＣＰＵ３１０は、タッチパネル３５０を介してユーザに関する各種の情報を受け付けて、通信インターフェイス３６０を介してサーバ１００に送信する。ＣＰＵ１１０は、Ｗｅｂページの閲覧命令を受け付けて、通信インターフェイス３６０を介してサーバ１００の電子書籍のページにアクセスする。ＣＰＵ３１０は、通信インターフェイス３６０を介してサーバ１００から、ユーザに相応しい記事がまとめられた電子書籍のＷｅｂページをダウンロードして、タッチパネル３５０に表示させる。
＜第２の実施の形態＞
【００４０】
上記の実施の形態においては、学習データベースを利用することによって、分野やレベルに応じた座標に対応するコンテンツを抽出するものであった。しかしながら、このような形態には限られない。たとえば、図１０に示すように、コンテンツのうちの記事や動画毎の識別情報に、分野を特定するための識別情報と、読み手の熟練度を特定するための識別情報と、学習スタイルなどが対応付けられてもよい。これによっても、ＣＰＵ１１０は、ユーザの情報に合致した記事や動画を抽出して合成電子コンテンツを作成することが可能になる。
＜第３の実施の形態＞
【００４１】
上記の実施の形態においては、指定された分野や対象ユーザの熟練度に応じたコンテンツを抽出するものであった。しかしながら、このような形態には限られない。たとえば、単に指定された分野に関するコンテンツを抽出して組み合わせて合成電子コンテンツを作成するものであってもよい。
【００４２】
具体的には、「心臓」が指定されると、医療に関する複数種類の専門誌などから、心臓に関する記事を抽出することによって合成電子書籍を作成する。あるいは「ヘリコプター」が指定されると、乗り物に関する複数種類の専門誌などから、ヘリコプターに関する記事を抽出することによって合成電子書籍を作成する。あるいは「蕎麦」が指定されると、食べ物やレストランに関する複数種類の専門誌などから、蕎麦に関する記事を抽出することによって合成電子書籍を作成する。
＜第４の実施の形態＞
【００４３】
また、図３のステップＳ０１０に示すように、通信端末３００は、Ｗｅｂページの閲覧に限らず、サーバ１００からユーザに相応しい記事がまとめられた書籍データ自体、たとえばＰＤＦデータなど、をダウンロードしてもよい。あるいは、サービス業者は、当該書籍が印刷された紙媒体をユーザ宅に配送してもよい。
＜第５の実施の形態＞
【００４４】
上記の実施の形態のような、電子書籍取り扱いサーバ１００や通信端末３００の構造・機能・動作に限られず、たとえば各装置の役割が、他の装置によって実現されてもよい。たとえば、電子書籍取り扱いサーバ１００の役割の一部または全部がクラウド上の複数のサーバや複数のデータベースによって担われたり、ユーザの通信端末３００に担われたり、逆に通信端末３００の役割の一部がサーバ１００や家電やスピーカなどの他の装置に担われたりしてもよい。
＜まとめ＞
【００４５】
上記の実施の形態においては、複数の電子書籍のデータを記憶するためのメモリと、複数の電子書籍のうちの１または複数の電子書籍のそれぞれから所定の条件を満たす部分を抽出して組み合わせることによって合成電子書籍を作成するプロセッサとを備える、電子書籍取り扱いサーバが提供される。
【００４６】
好ましくは、メモリは、複数のユーザ毎の属性情報を記憶する。プロセッサは、所定の条件として、合成電子書籍を提供するユーザ毎の属性情報に適した部分を抽出する。
【００４７】
好ましくは、ユーザ毎に関する属性情報は、ユーザ毎の熟練度の程度に関する情報を含む。
【００４８】
好ましくは、メモリは、複数の電子書籍の部分毎の分野情報を記憶する。プロセッサは、所定の条件として、所定の分野に属する部分を抽出する。
【００４９】
好ましくは、電子書籍取り扱いサーバは、複数のユーザの複数の端末と通信するための通信インターフェイスをさらに備える。プロセッサは、通信インターフェイスを介して、ユーザの端末に合成電子書籍をダウンロードする。
【００５０】
上記の実施の形態においては、プロセッサが、メモリに記憶されている複数の電子書籍のうちの１または複数の電子書籍のそれぞれから所定の条件を満たす部分を抽出するステップと、プロセッサが、抽出した部分を組み合わせることによって合成電子書籍を作成するステップと、を備える情報処理方法が提供される。
【００５１】
上記の実施の形態においては、複数のユーザの複数の端末と、複数の電子書籍のうちの１または複数の電子書籍のそれぞれから所定の条件を満たす部分を抽出して組み合わせることによって合成電子書籍を作成し、合成電子書籍を複数の端末に提供するためのサーバとを備える、ネットワークシステムが提供される。
【００５２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５３】
１        ：ネットワークシステム
１００    ：サーバ
１１０    ：ＣＰＵ
１２０    ：メモリ
１２１    ：学習データベースのマップデータ
１２２    ：コンテンツデータ
１２２Ｂ  ：コンテンツデータ
１２３    ：属性データ
１４０    ：操作部
１６０    ：通信インターフェイス
３００    ：通信端末
３００Ａ  ：スマートフォン
３００Ｂ  ：パーソナルコンピュータ
３１０    ：ＣＰＵ
３２０    ：メモリ
３３０    ：ディスプレイ
３４０    ：操作部
３５０    ：タッチパネル
３６０    ：通信インターフェイス
３７０    ：スピーカ
３８０    ：マイク
【図１】
2020129172.tif 000003
【図２】
2020129172.tif 000004
【図３】
2020129172.tif 000005
【図４】
2020129172.tif 000006
【図５】
2020129172.tif 000007
【図６】
2020129172.tif 000008
【図７】
2020129172.tif 000009
【図８】
2020129172.tif 000010
【図９】
2020129172.tif 000011
【図１０】
2020129172.tif 000012
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
複数の電子教材のデータと、複数のユーザ毎の担当する診療領域と熟練度とを含む属性情報と、を記憶するためのメモリと、
前記複数の電子教材のうちの１または複数の電子教材のそれぞれから、ユーザ毎の担当する診療領域と熟練度とに適した部分を抽出して組み合わせることによって合成電子教材を作成するプロセッサとを備える、電子教材取り扱いサーバ。
【請求項２】
前記メモリは、前記複数のユーザ毎の属性情報として、前記複数のユーザ毎の学習にかけたい時間を記憶し、
前記プロセッサは、前記ユーザ毎の学習にかけたい時間に応じた量を組み合わせることによって前記合成電子教材を作成する、請求項１に記載の電子教材取り扱いサーバ。
【請求項３】
複数のユーザの複数の端末と通信するための通信インターフェイスをさらに備え、
前記プロセッサは、前記通信インターフェイスを介して、前記ユーザの端末に前記合成電子教材をダウンロードする、請求項１または２に記載の電子教材取り扱いサーバ。
【請求項４】
メモリに、複数の電子教材のデータが記憶されるステップと、
前記メモリに、ユーザ毎の担当する診療領域と熟練度とを含む属性情報が記憶されるステップと、
プロセッサが、前記メモリに記憶されている複数の電子教材のうちの１または複数の電子教材のそれぞれから、ユーザ毎の担当する診療領域と熟練度とに適した部分を抽出するステップと、
前記プロセッサが、抽出した部分を組み合わせることによって合成電子教材を作成するステップと、を備える情報処理方法。
【請求項５】
複数のユーザの複数の端末と、
複数の電子教材のデータと、前記複数のユーザ毎の担当する診療領域と熟練度とを含む属性情報と、を参照することによって、複数の電子教材のうちの１または複数の電子教材のそれぞれから、ユーザ毎の担当する診療領域と熟練度とに適した部分を抽出して組み合わせることによって合成電子教材を作成し、前記合成電子教材を前記複数の端末に提供するためのサーバとを備える、ネットワークシステム。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
診療領域に関する分野と熟練度に対応付けられたコンテンツを含む複数の電子教材のデータと、複数のユーザ毎の担当する診療領域に関する分野と熟練度とを含む属性情報と、を記憶するためのメモリと、
前記複数の電子教材のうちの１または複数の電子教材のそれぞれから、ユーザ毎の担当する診療領域に関する分野と熟練度とに対応する診療領域に関する分野と熟練度に対応付けられた複数のコンテンツを抽出して当該複数のコンテンツを組み合わせることによって合成電子教材を作成するプロセッサとを備える、電子教材取り扱いサーバ。
【請求項２】
前記メモリは、前記複数のユーザ毎の属性情報として、前記複数のユーザ毎の学習にかけたい時間を記憶し、
前記メモリは、コンテンツ毎の読み終えるまでの時間を記憶し、
前記プロセッサは、前記ユーザ毎の学習にかけたい時間に応じた読了時間の合計となるように前記コンテンツを組み合わせることによって前記合成電子教材を作成する、請求項１に記載の電子教材取り扱いサーバ。
【請求項３】
複数のユーザの複数の端末と通信するための通信インターフェイスをさらに備え、
前記プロセッサは、前記通信インターフェイスを介して、前記ユーザの端末に前記合成電子教材をダウンロードする、請求項１または２に記載の電子教材取り扱いサーバ。
【請求項４】
メモリに、診療領域に関する分野と熟練度に対応付けられたコンテンツを含む複数の電子教材のデータが記憶されるステップと、
前記メモリに、ユーザ毎の担当する診療領域に関する分野と熟練度とを含む属性情報が記憶されるステップと、
プロセッサが、前記メモリに記憶されている複数の電子教材のうちの１または複数の電子教材のそれぞれから、ユーザ毎の担当する診療領域に関する分野と熟練度とに対応する診療領域に関する分野と熟練度とに対応付けられた複数のコンテンツを抽出するステップと、
前記プロセッサが、抽出した前記複数のコンテンツを組み合わせることによって合成電子教材を作成するステップと、を備える情報処理方法。
【請求項５】
複数のユーザの複数の端末と、
診療領域に関する分野と熟練度に対応付けられたコンテンツを含む複数の電子教材のデータと、前記複数のユーザ毎の担当する診療領域に関する分野と熟練度とを含む属性情報と、を参照することによって、複数の電子教材のうちの１または複数の電子教材のそれぞれから、ユーザ毎の担当する診療領域に関する分野と熟練度とに対応する診療領域に関する分野と熟練度とに対応付けられた複数のコンテンツを抽出して当該複数のコンテンツを組み合わせることによって合成電子教材を作成し、前記合成電子教材を前記複数の端末に提供するためのサーバとを備える、ネットワークシステム。